【誤訳訂正書】
【提出日】平成22年7月15日(2010.7.15)
【誤訳訂正１】
【訂正対象書類名】明細書
【訂正対象項目名】全文
【訂正方法】変更
【訂正の内容】
【書類名】  明細書
【発明の名称】不要なコマーシャルブレイク又はその他のビデオシーケンスのビデオコンテンツを交換するための方法及び装置
【特許請求の範囲】
【請求項１】
受信されたビデオ信号中の不要なコマーシャルを他のビデオシーケンスと交換するための、受信装置において実行される方法であって、前記方法は、
ビデオ信号を受信するステップと、
受信された前記ビデオ信号中のコマーシャルを検出するステップと、
前記コマーシャルのオーディオの特徴及び/又はビジュアルの特徴を抽出するステップと、
前記抽出された特徴をそのような特徴の記憶されたデータベースと比較するステップと、
前記比較するステップの結果に基づいて、前記コマーシャルを他のビデオシーケンスと交換するかを決定するステップと、
前記決定するステップにおいて交換することが決定された場合に、前記コマーシャルを他のビデオシーケンスで置換するステップとを、
有する方法。
【請求項２】
前記方法はさらに、
もしも前記特徴が前もって前記データベースに記憶されていないならば、前記コマーシャルの前記特徴を前記データベースに記憶するステップと、
前記コマーシャルが交換されるべきかどうかを特定するインジケータを記憶するステップとを、
有する、請求項１に記載の方法。
【請求項３】
受信されたビデオ信号中の不要なコマーシャルを他のビデオシーケンスに交換する受信装置であって、前記装置は、
ビデオ信号を受信するための手段と、
受信された前記ビデオ信号中のコマーシャルを検出するための手段と、
前記コマーシャルのオーディオの特徴及び/又はビジュアルの特徴を抽出するための手段と、
前記抽出された特徴をそのような特徴の記憶されたデータベースと比較するための手段と、
前記比較結果に基づいて、前記コマーシャルを他のビデオシーケンスと交換するかを決定するための手段と、
前記決定する手段において交換することが決定された場合に、前記コマーシャルを他のビデオシーケンスで置換するための手段とを、
有する受信装置。
【請求項４】
前記装置はさらに、
もしも前記特徴が前もって前記データベースに記憶されていないならば、前記コマーシャルの前記特徴を前記データベースに記憶するための手段と、
前記コマーシャルが交換されるべきかどうかを特定するインジケータを記憶するための手段とを、
有する、請求項３に記載の受信装置。
【請求項５】
前記コマーシャルはテレビジョン・ブロードキャスト信号のコマーシャルである、請求項１又は２に記載の方法。
【請求項６】
前記特徴はビデオシーケンスに含まれるテキスト要素である、請求項１、２又は５に記載の方法。
【請求項７】
前記置換ステップは、前記他のビデオシーケンスを記憶媒体から取り出すことを有する、請求項１、２、５又は６に記載の方法。
【請求項８】
前記コマーシャルは複数のチャネルを持つディジタル・テレビジョン・ブロードキャストの１つのチャネル上にあり、前記置換ステップは前記他のビデオシーケンスを前記１つのチャネルとともに送信された他のチャネルから取り出すことを有する、請求項１、２、５又は６に記載の方法。
【請求項９】
前記コマーシャルの検出は、ビデオシーケンスに付随するメタデータの検出を有する、請求項１、２又は５に記載の方法。
【請求項１０】
前記特徴の記憶されたデータベースはコマーシャル及び製品のカテゴリーを有する、請求項１、２又は５に記載の方法。
【請求項１１】
前記他のビデオシーケンスはＷｅｂページを有する、請求項１、２又は５に記載の方法。
【請求項１２】
前記コマーシャルはテレビジョン・ブロードキャスト信号のコマーシャルである、請求項３又は４に記載の受信装置。
【請求項１３】
前記特徴はビデオシーケンスに含まれるテキスト要素である、請求項３、４又は１２に記載の受信装置。
【請求項１４】
前記置換ステップは、前記他のビデオシーケンスを記憶媒体から取り出すことを有する、請求項３、４、１２又は１３に記載の受信装置。
【請求項１５】
前記コマーシャルは複数のチャネルを持つディジタル・テレビジョン・ブロードキャストの１つのチャネル上にあり、前記置換ステップは前記他のビデオシーケンスを前記１つのチャネルとともに送信された他のチャネルから取り出すことを有する、請求項３、４、１２又は１３に記載の受信装置。
【請求項１６】
前記コマーシャルの検出は、ビデオシーケンスに付随するメタデータの検出を有する、請求項３、４又は１２に記載の受信装置。
【請求項１７】
前記特徴の記憶されたデータベースはコマーシャル及び製品のカテゴリーを有する、請求項３、４又は１２に記載の受信装置。
【請求項１８】
前記他のビデオシーケンスはＷｅｂページを有する、請求項３、４又は１２に記載の受信装置。
【発明の詳細な説明】
【０００１】
【発明の属する技術分野】
本発明は、テレビジョンに関し、さらに特定すると、テレビジョン信号におけるビデオセグメント又はビデオシーケンスの操作に関する。
【０００２】
【従来の技術】
テレビ番組、特にブロードキャスト放送テレビ番組は、一般視聴者へテレビ番組を提供するコストを少なくとも部分的に据え置くために、広告コマーシャルを含む。こうしたコマーシャルのコンテンツは予め決定され、スポンサーが特定の時間帯に自分たちのコマーシャル放映を持つためにいくら進んで支払ってくれるかという広告料金に通常左右される。しかしながら、個々の視聴者のコマーシャル・コンテンツへの望みに対する配慮は何も成されていない。視聴者は全く興味がないコマーシャルを仕方なく観るはめに陥るか、部屋を出ていくか（例えば、冷蔵庫にスナックを取りに行くとか）、又はチャンネル・サーフィングするか、すなわち他のチャンネルで何か他の番組が放映されていないかどうか見たりするしか対策の施しようがない（これに関しては、他のチャンネルでもいつも決まってコマーシャルが放映されているという点で、イライラさせられることがある）。このことは時には、コマーシャルが始まる以前に彼又は彼女が観ていた番組の始まりを観損ねるという点で、問題を引き起こす。
【０００３】
録画されたテレビ番組内のコマーシャルを検出するため、及びこの録画テープをコマーシャルの最後まで高速前送りするための回路を含む、民生用ビデオカセットレコーダは既に知られている。ただし、テレビ番組がビデオカセットに事前に録画されていなければならない。
【０００４】
別の場合では、テレビ受信器は、例えば番組視聴率、暴力コンテンツ、セクシュアルコンテンツなどのテレビ番組のコンテンツに関わるテレビ番組と伴に送信されるデータを検出する「Ｖ−ＣＨＩＰ」を今や含まなければならない。これにより、例えば、親は子供たちに視聴させる目的で受信するテレビ番組のコンテンツを、せめて部分的なりともコントロールすることが可能になる。受信された番組が予め設定されたレベルを超えた場合、当該番組（又は当該番組の一部分）が許容レベルを超えたことを示すメッセージがスクリーンに表示されるか、又は当該視聴者が「ブルー・スクリーン」（当該番組又は当該番組の一部分の間中ビデオ信号拒否）を被ることになる。
【０００５】
【発明が解決しようとする課題】
本発明の目的は、不要なコマーシャル又は番組（又は番組の一部分）を所望されるビデオシーケンスと置換するための方法及び装置を提供することである。
【０００６】
【課題を解決するための手段】
本発明の第１態様で、特定のビデオストリームの不要なビデオを所望されるビデオに交換するための方法において、前記方法が、特定のビデオシーケンスの初めの箇所の頭出しを検出するステップを有し；前記特定のビデオシーケンスの特徴を検出し；前記検出された特徴をその他のビデオシーケンスの記憶された特徴と比較し、前記記憶された特徴が、その他のビデオシーケンスそれぞれが所望されているかどうかを特定するインジケータを含み；前記特定ビデオシーケンスが前記記憶された特徴に基づいて所望されているかどうかを決定し；及び前記特定ビデオシーケンスが所望されなければ、前記特定ビデオシーケンスの代わりに所望されたビデオシーケンスで置換する、前記方法において、この目的が達成される。
【０００７】
本発明の第２態様は、特定のビデオストリームの不要なビデオを所望されるビデオに交換するための装置を提供することであり、前記装置は、特定ビデオシーケンスの初めの箇所の頭出しを検出するための手段と、前記特定ビデオシーケンスの特徴を検出するための手段と、前記検出された特徴をその他のビデオシーケンスの記憶された特徴と比較するための手段とを有し、前記記憶された特徴が、その他のビデオシーケンスそれぞれが所望されているかどうかを特定するインジケータを含み、前記特定ビデオシーケンスが前記記憶された特徴に基づいて所望されているかどうかを決定するための手段と、もしも前記特定ビデオシーケンスが所望されていなければ前記特定ビデオシーケンスの代わりに所望されるビデオシーケンスに置換するための手段とを含む、装置である。
【０００８】
本発明を実施するためには、置換されることを前提として、まずビデオシーケンスが検出されなければならないことが、出願人にはわかった。コマーシャルの場合、ビデオ信号の平均光度における変化を検出することと、「アクティビティ」レベルの変化を検出することと、増加したカット率及び変化するサイズテキストの存在を検出することと、コマーシャルなどが挿入されている番組の途切れ箇所（ブレイク）を指し示すビデオ信号のブラック・レベルを検出することとを含む、数通りの既知方法がある。中でも一つ際立った方法が、フィリップス・エレクトロニクス社に譲渡された、1998年7月28日出願の米国特許出願シリアル番号09/123,444（出願人整理番号PHA23,477）に開示されている。
【０００９】
次に、ビデオシーケンスが既知の特性を検出するために分析される必要がある。フィリップス・エレクトロニクス社に譲渡された、米国特許USP5,870,754（出願人整理番号PHA23,104）は、ビデオ署名が認証目的のためにMPEG又はMotion JPEG符号化ビデオシーケンスから抽出され、それから記憶媒体に記憶されてもよいという方法を開示している。その後、疑わしいビデオシーケンスのビデオ署名は、その疑わしいビデオシーケンスのコンテンツを認証する目的のために、こうした記憶されたビデオ署名と次に比較されてもよい。
【００１０】
フィリップス・エレクトロニクス社（出願人整理番号PHA23,252）に譲渡された、1997年6月2日出願の米国特許シリアル番号08/867,140は、ビデオソースの重要なシーンを検出し、検出された重要なシーンそれぞれを表現するためのキーフレームを選択し、ビデオソース用にビデオインデックスを生成するシステムを記述している。最新のビデオシーケンスが次に分析され、この分析結果が記憶されたビデオインデックスと比較され得る。
【００１１】
代替として、ビデオシーケンスは、画像中のテキスト領域を検出するために検証されてもよい。米国フィリップス社（出願人整理番号PHA23,616）に譲渡された、1999年8月9日出願の米国特許シリアル番号09/370,931は、ビデオ信号中のテキスト位置（ロケーション）を検出するための方法及び用途を開示している。自動文字認証が次に、800の数字、ドメイン名、ロゴ、及び製品名を検出するために使用されてもよい。その結果が次に、800の数字、ドメイン名、ロゴ及び製品名のリストと比較されてもよい。いったん、例えば、800の数字の数が認証されると、コマーシャルの一般的な分類及び目的がわかる。
【００１２】
いったんコマーシャルの正体が決定されると、この情報は次に、装置のユーザの個人プロファイルと比較される。例えば、子供のいない単身男性の場合、おむつ、その他のベビー商品又はおもちゃのコマーシャルは不要であろう。けれども、この男性はスポーツ用品には興味があるかもしれない。従って、この男性のプロファイルは、ベビー・コマーシャルはNO及びスポーツ用品はYESと示すことになる。
【００１３】
もし今あるコマーシャルは交換されるべきならば、代替のビデオストリームがいくつかの異なるソースから得られてもよい。例えば、代替ビデオストリームは、大容量記憶媒体、例えばハードディスクドライブ、ビデオテープ、ビデオディスクなどに記憶されてもよい。もう一つの選択肢として、代替ビデオストリームは、グローバルなコンピュータ・ネットワーク又はWebページ（スタティック又はブラウズ・モードの）からの個人電子メールであってもよい。加えて、複数の番組が単一のチャンネルで利用可能であってよいディジタル・テレビジョンの場合は、代替コマーシャルが同時に放映されているかもしれず、所望のコマーシャルはこのソースから検索して取り出されてもよい。
【００１４】
本文献これ以降の表記と同様に、上記及び付加的な目標及び長所を意図として、本発明は添付の図面を参照して説明されるであろう。
【００１５】
【発明の実施の形態】
図１では、入力ビデオ信号がアンテナ１０で受信され、チューナー１２に供給される。入力ビデオ信号のソースは地上波放送テレビジョンであることを暗に示す、アンテナ１０が示されてはいるけれども、入力ビデオ信号は、例えばケーブル、衛星、グローバル・コンピュータ・ネットワークなどのその他のソースから送出されてもよいことが理解されるべきである。チューナー１２は所望されるビデオ信号に同調され、及びフレームメモリ１４にも同じビデオ信号が与えられる。フレームメモリ１４からの出力は、この出力を例えばテレビ受信器などの表示装置１８へ印加するビデオスイッチ１６に、接続されている。
【００１６】
内部マイクロプロセッサを含むコントローラ２０は、装置の素子の動作を制御する。ランダムアクセスメモリ(RAM)の形態のメモリ２２がコントローラ２０に接続され、同様にロム２４（ROM）もコントローラ２０に接続される。キーボード２６は、装置用ユーザ・インターフェースを提供するために示される。もう１つの選択肢として、赤外線受信器２８及び対応するリモート送信器３０が、コントローラ２０に接続されてもよい。
【００１７】
例えば、ビデオテープ・レコーダー/プレーヤー、ＤＶＤ書き換え可能装置（ＤＶＤ−ＲＷ）、ディジタルＶＨＳテープ・レコーダー/プレーヤー（Ｄ−ＶＨＳ）、ディジタルビデオ・レコーダー/プレーヤー（ＤＶＲ）などのビデオ記憶装置３２は、ビデオ信号を記録し及び供給するためにコントローラ２０に接続して示される。加えて、ビデオディスク・プレーヤー３４が、選択されたビデオ・プログラミングを提供するためにコントローラ２０に接続される。最後に、モデム３６が、電話回線ネットワーク３８と連係して、電子メールを送信及び受信できるグローバル・コンピュータ・ネットワークへのアクセスを可能にするために、コントローラ２０に接続される。
【００１８】
コントローラ２０は、所望されるビデオ信号を受信するために、チューナー１２の出力に接続される。Ｖチップ・メタデータ(V-Chip/Meta Data)抽出器４０もまた、所望されるビデオ信号と伴に送信されてもよいメタデータだけでなくＶチップデータも抽出するために、チューナー１２の出力に接続される。最後に、コントローラ２０は、代替チャンネル上のプログラミングを受信するために、チューナー１２へ付加的に直接接続されてもよい。
【００１９】
操作上、図２のフローチャートを参照すると、ブロック５０で、コントローラ２０はチューナー１２の出力部でビデオ信号を受信する。ブロック５２で、コントローラ２０はビデオ信号がコマーシャルを含んでいるかどうかを判断する。もしそうでなければ、コントローラ２０は、ブロック５４において、Ｖチップ・メタデータ抽出器４０から抽出されたＶチップ・データを検証し、及びビデオ信号のプログラミングが制約されているかどうかを判断する（ブロック５６）。もしそうでないなら、コントローラ２０は、コマーシャル用にビデオ信号を検証し続ける（ブロック５２）。もし当該プログラミングが制約されているなら、コントローラ２０は代替プログラミングを挿入する（ブロック７０）。
【００２０】
コマーシャルが検出されると、コントローラ２０は、ブロック５８において、コマーシャルのオーディオヴィジュアル/テキスト特徴及び/又は署名を抽出し、これらの特徴又は署名をこのような特徴及び署名の記憶されたデータベースと比較する（ブロック６０）。ブロック６２において、コマーシャルの特徴及び/又は署名が確かに記憶されたかどうかが決定される。もしそうでないなら、ブロック６４において、ユーザは当該特徴及び/又は署名を記憶するオプションを与えられ、もしそうであれば、当該特徴及び/又は署名はブロック６６にて記憶される。もしもユーザが特徴及び/又は署名を記憶しないと決断するなら、コントローラ２０はブロック７２でフローチャートを抜ける。
【００２１】
ブロック６８で、コントローラ２０はコマーシャルが所望されているかどうかを決定する。もしそうなら、コントローラ２０は７２でフローチャートを抜ける。もしもコマーシャルが所望されないならば、ブロック７０で、コントローラ２０はビデオスイッチ１６を使用して代替プログラミングを挿入する。代替プログラミングは複数のソースの何れかから提供されてもよい。例えば、代替コマーシャルは、ＲＯＭ２４内、ビデオ記憶装置３２上又はビデオディスク・プレーヤー３４を使用するビデオディスク上において記憶されてもよい。ディジタル・テレビジョン（ＤＴＶ）の場合、各チャネルは、代替コマーシャルかもしれない多くのビデオ・プログラミング・ストリームを含んでもよい。もしそうなら、代替コマーシャルは次に挿入用にアクセスされてもよい。別の状況では、コントローラ２０は、ユーザがコマーシャル・ブレイクの最中に電子メール・メッセージを読んだり若しくは送ったり、又はＷｅｂページにアクセスしたりできるように、モデム３６へアクセスしてもよい。
【００２２】
ユーザの個人プロファイルは、ＲＯＭ２４に記憶されてもよく、好まれるソース、時間、及び置換継続時間に関する情報を含む。ソースは、上記に記述したように、ビデオ記憶装置３２、ビデオディスク・プレーヤー３４、チューナー１２からの代替プログラミング、又は電子メール若しくはＷｅｂ閲覧用グローバル・コンピュータ・ネットワークへアクセスするためのモデム３６であってよい。情報のユーザに好まれるソースは、１日の時間帯に基づいていてもよく、例えば、朝には、ユーザは仕事へ出かける準備をしていて受動的なコンテンツ交換を好むだろうという点で、ユーザは別の番組の置換又は個人に合わせたニュース番組の方が好むかもしれない。夕方には、ユーザは、例えば電子メール又はＷｅｂ閲覧のようなさらなる対話型の交換の方を好むかもしれない。
【００２３】
置換の継続時間はコンテンツのタイプ、交換されるコンテンツの継続時間、及び１日の時間帯に基づいていてもよい。例えば、もしもコマーシャル・ブレイクが６分間なら、ユーザは電子メールに２分間、及びコマーシャルの概要を欲するかもしれない。もしもコマーシャルが２分未満なら、ユーザは交換を全く好まないかもしれない。もう１つの選択肢として、その他の短縮されたビデオシーケンスが記憶されたコンテンツから得られてもよい。
【００２４】
交換の最中に、ユーザが電子メールを始めていて電子メール・メッセージを終えるまでは、通常のプログラミングへ戻るために中断されたくない場合もまたあるかもしれない。この場合、通常のプログラミングは、ユーザが電子メール・メッセージを終了するまで、例えばビデオ記憶装置３２又はＴｉｖｏユニット（示されていないが）でバッファされてもよい。
【００２５】
図３は、図２のブロック５８をさらに詳細に示すフローチャートである。特に、ブロック８０で、コントローラ２０はチューナー１２の出力からテキストのデータを抽出する。次にブロック８２で、コントローラ２０は抽出されたデータを記憶されたテキストと比較し、抽出されたテキストが記憶されたかどうかを決定する（ブロック８４）。もしそうなら、ブロック８６で、コントローラ２０は図２のフローチャートにおけるブロック６８へ進む。もしそうでないなら、コントローラ２０は次にブロック８８においてオーディオヴィジュアル・データを抽出し、ブロック９０で、図２のフローチャートにおけるブロック６０へと進む。
【００２６】
もう１つの選択肢として、上述したように、ビデオ信号のプログラムは、番組（プログラム）及び/又はコマーシャルのコンテンツを特徴とするメタデータを含んでもよい。もしそうなら、図４に示されるように、コントローラ２０は、図２のブロック５２でコマーシャルを検出した後、次にブロック９２においてメタデータを検証し及びこのデータをコマーシャルの特徴づけ目的で使用する。再度、ブロック９４において次のブロックに進み、図２のブロック６８において、当該コマーシャルが所望されているかどうかを判断するために、ユーザの個人プロファイルと比較され、もしそうでないなら、コントローラ２０は代替プログラミングを挿入する（ブロック７０）。
【００２７】
添付の請求項に記述されたように、ビデオ署名はビデオシーケンス内のオーディオ・クルー（手がかり）から引き出されてもよい。ビデオ署名がビデオシーケンスのオーディオ・クルーから引き出されるようにされている場合、これらオーディオ・クルーは、エネルギー、バンドエネルギー比、一時停止率、ピッチ（周波数の高低）、フーリエ変換係数、及びメル・スペクトル周波数係数を含んでもよい。ビデオ署名はクローズド・キャプション・コンテンツから得られてもよい。
【００２８】
請求項で参照される記憶された特徴は、置換されるべきビデオシーケンスの継続時間を有してもよい。
【００２９】
所望されたビデオシーケンスがＷｅｂページを有する場合、当該ページは受動的にスキャンされてもよい。所望されたビデオシーケンスがＷｅｂページを有する場合、当該ページは双方向でスキャンされてもよい。
【００３０】
本文献で開示された構造に関する非常に多くの変更及び修正が当業者に呈示されるであろう。ただし、上記で説明された実施例は図示だけの目的であり、本発明の制約として解釈されてはならないことを理解されたい。本発明の意図から離れることがない全てのこのような修正は、追記される請求項の様態を含んでいるべきであるとして意図されている。
【図面の簡単な説明】
【図１】本発明によるビデオシーケンスを交換するための装置のブロック図である。
【図２】図１の装置の機能動作を示すフローチャートである。
【図３】図２のフローチャートの一部分をより詳細に示すフローチャートである。
【図４】図２のフローチャートの別の部分をより詳細に示すフローチャートである。
【符号の説明】
１０      アンテナ
１２      チューナー
１４      フレーム・メモリ
１６      ビデオ・スイッチ
１８      表示装置
２０      コントローラ
２２      ＲＡＭ
２４      ＲＯＭ
２６      キーボード
２８      赤外線受信器
３０      リモート送信器
３２      ビデオ記憶装置
３４      ビデオディスク・プレーヤー
３８      電話回線ネットワーク
４０      Ｖ−Ｃｈｉｐ/メタデータ抽出器